(57)【要約】【課題】手や指の大きさとは無関係に、簡単かつ確実に手指に装着することが可能であり、しかも構造が簡単で安価に量産するに適した口腔清掃具を提供する。【解決手段】この口腔清掃具１は、前後に長い主生地５と、該主生地５の前端形状と一致する従生地６とからなり、従生地６を主生地５の前端部に重ねたうえで、従生地６の後端部を除く両生地５・６の外縁を結着することにより、手指挿入用の後端開口１０を備える袋状の鞘部３を形成している。鞘部３よりも後方寄りの主生地６の左右方向の中央部位には、鞘部３に挿入された手指２ｂ以外の複数本の指を掛けて、鞘部３の手指２ｂからの抜け落ちを阻止するためのスリット１５が、前後方向に長く設けられている。【選択図】図１
2005334065.tif 000002
【特許請求の範囲】
【請求項１】
手指２に装着されて、歯垢の除去に供される鞘部３を供える指サックタイプの口腔清掃具であって、
前後に長い主生地５と、該主生地５の前端形状と一致する従生地６とからなり、従生地６を主生地５の前端部に重ねたうえで、従生地６の後端部を除く両生地５・６の外縁を結着することにより、手指挿入用の後端開口１０を備える袋状の鞘部３を形成してあり、
鞘部３よりも後方寄りの主生地６の左右方向の中央部位に、該鞘部３に挿入された手指２ｂ以外の複数本の指を掛けて、鞘部３の手指２ｂからの抜け落ちを阻止するためのスリット１５が、前後方向に長く設けられていることを特徴とする口腔清掃具。
【請求項２】
親指２ａを含む複数本の指２をスリット１５の周縁に掛けて、これら指２で該スリット１５を展張状に拡開操作することにより、鞘部３に掌側に向かう作用力Ｆを与えることができるようにしてある請求項１記載の口腔清掃具。
【請求項３】
人差し指２ｂに装着される第１鞘部２１と、親指２ａに装着される第２鞘部２２とを備え、これら二つの鞘部２１・２２を使って歯垢の除去を行う口腔清掃具であって、
この口腔清掃具は、大小二枚の生地２５・２６を貼り合わせてなるものであり、
大型の主生地２５は、第１鞘部２１を構成して上下方向に長い第１装着片２８と、該第１装着片２８の後端部に連続する上下に長い掛止片２９と、第１装着片２８の掛止片２９側の基端から斜め前方に張り出し形成されて、第２鞘部２２を構成する第２装着片３０とを備え、
小型の従生地２６は、前記第１および第２装着片２８・３０の外形形状と略一致する、二股状に形成されており、
従生地２６を主生地２５に重ねたうえで、従生地２６の後端部を除く外縁を主生地２５の外縁に結着することにより、人差し指２ｂおよび親指２ａの挿入を許す後端開口３１を有する二股手袋状の第１および第２鞘部２１・２２が形成されており、
掛止片２９の左右方向の中央部位に、該掛止片２９を手首４１に掛けて、第１および第２鞘部２１・２２の手指２ｂ・２ａからの抜け落ちを阻止するためのスリット３７が、前後方向に長く設けられていることを特徴とする口腔清掃具。
【請求項４】
中指２ｃを掛けるためのスリット３６を有する掛止片３５が、第１鞘部２１の側面の前後中途部から張り出し形成されている請求項３記載の口腔清掃具。
【請求項５】
主生地５・２５および従生地６・２６が、不織布７を基体とするものであって、該不織布７の内側表面に防水性フィルム加工が施されている請求項１又は２又は３又は４記載の口腔清掃具。
【請求項６】
不織布７の外側面を、凹凸状としてある請求項５記載の口腔清掃具。
【発明の詳細な説明】
【技術分野】
【０００１】
本発明は、手指に装着されて歯垢の除去に供される口腔清掃具に関する。
【背景技術】
【０００２】
本発明に係る口腔清掃具は、大小二枚の生地の外縁を貼り合わせてなるものであるが、同様の構成の口腔清掃具は特許文献１に開示されて公知である。かかる特許文献１の口腔清掃具において、大型の主生地は、前端部が半楕円形で、全体として前後方向に長いスプーンのような形状とされている。小型の従生地は、先の主生地の前端部の外形形状と一致する半楕円形に形成されている。そして、従生地を主生地の前端部に重ね合わせたうえで、従生地の後端部を除く両生地の外縁をＵ字状に貼り合わせることにより、手指の挿入を許す後端開口を有する袋状の鞘部を形成している。
【０００３】
この口腔清掃具によれば、主生地のスプーンの柄に当たる部分を、鞘部が装着された手指以外の指の間に挟むことで、鞘部の抜け落ちを図ることができる。同種の「柄」を備える口腔清掃具は、例えば特許文献２にも見受けられる。また、鞘部から後方に伸びる持ち手部に、該鞘部に挿入された手指以外の一本の指を掛けるための掛止孔が開設されたものもある（特許文献３参照）。
【０００４】
【特許文献１】実開平６−１４３号公報（図１）
【特許文献２】実開平４−１０４９２２号公報（図１）
【特許文献３】特開２０００−１２６２２５号公報（図１、図２）
【０００５】
特許文献１および特許文献２に記載の口腔清掃具では、「柄」を指で挟持する形態であるため、大きな保持力が得られず、清掃動作時に鞘部に加わる作用力によって、鞘部がずれ動いたり、手指から抜け落ちたりしやすい。また、「柄」を指の間に挟んだまま、鞘部が装着された手指を細かく動かして、清掃動作を行うことは非常に困難であり、使い勝手が悪い。この問題は、例えば、特許文献３のように、一本の指を掛けるための小さな掛止孔を、持ち手部に設けることで解決できるが、その場合には、手や指の大きさの違いに合わせて、掛止孔の開口寸法や掛止孔の開設位置の異なる複数種の製品を用意する必要があり、口腔清掃具の製造コストが上昇することが避けられない。
【発明の開示】
【発明が解決しようとする課題】
【０００６】
本発明の目的は、手や指の大きさとは無関係に、簡単かつ確実に手指に装着することが可能であり、しかも構造が簡単で安価に量産するに適した口腔清掃具を提供するにある。
【課題を解決するための手段】
【０００７】
本発明は、図１に示すように、手指２に装着されて、歯垢の除去に供される鞘部３を供える指サックタイプの口腔清掃具である。図２および図３に示すように、かかる口腔清掃具は、前後に長い主生地５と、該主生地５の前端形状と一致する従生地６とからなり、従生地６を主生地５の前端部に重ねたうえで、従生地６の後端部を除く両生地５・６の外縁を結着することにより、手指挿入用の後端開口１０を備える袋状の鞘部３を形成してある。そして、鞘部３よりも後方寄りの主生地６の左右方向の中央部位に、該鞘部３に挿入された手指２ｂ以外の複数本の指２を掛けて、鞘部３の手指２ｂからの抜け落ちを阻止するためのスリット１５が、前後方向に長く設けられていることを特徴とする。
【０００８】
これら主生地５および従生地６は、コットン、レーヨン、ＰＥＴ、ＰＰ、ＰＥ、アクリル、又はこれらの複合繊維からなる不織布、あるいはこれらと他の繊維との複合不織布とすることができる。ここで言う「スリット１５」は、図２および図３に示すような前後に長く形成された切り込みのほか、例えば打ち抜き形成された前後に長い開口も含む概念であり、要は前後方向に長く形成されていて、複数本の指２を掛け得るものであればよい。主生地５の外形形状は、図２に示すような前後に長い楕円形のほか、前後に長い長方形状などであってもよく、要は前後方向に長いものであれば、その外形形状は問わない。両生地５・６の結着方法としては、熱溶着（ヒートシール）、接着剤による貼り合わせ、縫い合わせなどを挙げることができる。この口腔清掃具は、人体口腔内用の清掃具として、あるいは犬や猫などのペットの口腔内の清掃具として好適である。また、鼻や耳の清掃に、当該清掃具を用いることもできる。
【０００９】
具体的には、図１に示すように、親指２ａを含む複数本の指２をスリット１５の周縁に掛けて、これら指２で該スリット１５を展張状に拡開操作することにより、鞘部３に掌側に向かう作用力Ｆを与えることができるようにしてある。
【００１０】
また本発明は、図５に示すごとく、人差し指２ｂに装着される第１鞘部２１と、親指２ａに装着される第２鞘部２２とを備え、これら二つの鞘部２１・２２を使って歯垢の除去を行う口腔清掃具である。図６および図７に示すように、この口腔清掃具は、大小二枚の生地２５・２６を貼り合わせてなるものである。大型の主生地２５は、第１鞘部２１を構成して上下方向に長い第１装着片２８と、該第１装着片２８の後端部に連続する上下に長い掛止片２９と、第１装着片２８の掛止片２９側の基端から斜め前方に張り出し形成されて、第２鞘部２２を構成する第２装着片３０とを備える。小型の従生地２６は、前記第１および第２装着片２８・３０の外形形状と略一致する、二股状に形成されている。従生地２６を主生地２５に重ねたうえで、従生地２６の後端部を除く外縁を主生地２５の外縁に結着することにより、人差し指２ｂおよび親指２ａの挿入を許す後端開口３１を有する二股手袋状の第１および第２鞘部２１・２２が形成されている。そして、掛止片２９の左右方向の中央部位に、図１に示すように掛止片２９を手首４１に掛けて、第１および第２鞘部２１・２２の手指２ｂ・２ａからの抜け落ちを阻止するためのスリット３７が、前後方向に長く設けられていることを特徴とする。
【００１１】
これら主生地２５および従生地２６は、コットン、レーヨン、ＰＥＴ、ＰＰ、ＰＥ、アクリル、又はこれらの複合繊維からなる不織布、あるいはこれらと他の繊維との複合不織布とすることができる。ここで言う「スリット３７」は、図６および図７に示すような前後に長く形成された切り込みのほか、例えば打ち抜き形成された前後に長い開口も含む概念であり、要は前後方向に長く形成されていて、手首４１を掛け得るものであればよい。両生地２５・２６の結着方法としては、熱溶着（ヒートシール）、接着剤による貼り合わせ、縫い合わせなどを挙げることができる。この口腔清掃具は、人体口腔内用の清掃具として、あるいは犬や猫などのペットの口腔内の清掃具として好適である。また、鼻や耳の清掃に、当該清掃具を用いることもできる。
【００１２】
中指２ｃを掛けるためのスリット３６を有する掛止片３５を、第１鞘部２１の側面の前後中途部から張り出し形成することができる。
【００１３】
図４および図８に示すごとく、主生地５・２５および従生地６・２６を、不織布７を基体とするものとして、該不織布７の内側表面に防水性フィルム加工を施すことができる。これらの図において、符号９は、防水性のフィルムを示している。かかるフィルム９の具体例としては、ＰＰ、ＰＥなどの熱可塑性フィルムを挙げることができる。
【００１４】
不織布７の外側面は、凹凸状とすることが好ましい。凹凸の形成方法としては、例えばウォータージェット方式により繊維を網目状に絡み合わせる方法（メッシュ加工）や、エンボス加工などを挙げることができる。
【発明の効果】
【００１５】
請求項１記載の本発明によれば、図１に示すごとく、鞘部３内に人差し指２ｂ等の一本の手指を挿入するとともに、該鞘部３に挿入された手指２ｂ以外の複数本の指２を、主生地５に前後方向に長く形成されたスリット１５の周縁に掛け止める。そして、かかる掛け止め装着姿勢で、鞘部３を使って歯や歯肉などの対象部位を摺擦して清掃を行う。このとき、口腔清掃具１は、スリット１５に掛けられた複数本の指２で確実に掛止されるため、使用時に鞘部３がずれ動いたり、それが装着された手指２ｂから抜け落ちたりすることがない。
【００１６】
加えて、主生地５に設けられた前後に長い一個のスリット１５に、複数本の手指（親指２ａ等）を掛け止めるようにしてあるから、手や指の大きさに関係なく、図１に示すような掛け止め装着姿勢を容易にとることができる。これにて、特許文献３のように、微小な掛止孔を備える形態では避けることができなかった、手や指の大きさに合わせて、孔の開設位置や開口寸法の異なる多種の製品を用意することに起因する製造コストの上昇問題を解消して、口腔清掃具１の低コスト化を図ることができる。
【００１７】
また、図１に示すように、親指２ａを含む複数本の指をスリット１５の周縁に掛けて、これら指２ａで該スリット１５を展張状に拡開操作することにより、鞘部３に掌側に向かう作用力Ｆを与えることができるので、人差し指２ｂからの鞘部３の抜け落ちや、位置ずれなどをよく防止できる。何よりも、かかる作用力Ｆにより、鞘部３に挿入された手指（人差し指２ｂ等）の先端腹部に鞘部３を強く密着させることができるので、大きな力を鞘部３に与えた場合でも、当該鞘部３に皺ができることがなく、したがって口腔清掃具１の実用利便性の格段の向上を図ることができる。
【００１８】
主生地５および従生地６の内面に防水性フィルム加工が施されていると、使用中に鞘部３に挿入された手指（人差し指２ｂ等）が濡れるのを防ぐことができる。また、フィルム９の原形回復力に由来して、拡開操作されたスリット１５周縁の輪体１７に弾性応力を与えることができるので、僅かな拡開操作で鞘部３に掌側に向かう大きな作用力Ｆを与えることができる点でも優れている。不織布７のみで生地５・６を構成する形態に比べて、裏打ちされたフィルム９で生地５・６の補強を図ることができるので、使用中に鞘部３が破れたり、拡開操作時に輪体１７が破れるような不具合もない。
【００１９】
主生地５の外側表面を凹凸状としてあると、これら凹部と凸部との段差を利用しての歯垢のこそぎ落としが可能となるので、清掃効率が向上する。歯肉に対して適度の刺激を与えることもできる。尤も、かかる凹凸は、主生地５の鞘部３の外表面、すなわち清掃操作に供される部位に設けてあれば足りる。特に凹部を開口状としてあると、その開口周縁を切断刃のように作用させて、歯垢等をよくこそぎ落とすことができる。つまり、口腔清掃具１を歯の表面に当てたとき、凹部は、その開口方向が歯表面に対して略垂直となるような姿勢形態をとるため、当該姿勢形態で口腔清浄具１を歯の表面を擦るように動かすことで、凹部の開口周縁で歯垢を引っ掛けて、これ（歯垢）を引き剥がすように除去できる。
【００２０】
請求項３記載の本発明によれば、図５に示すごとく、掛止片２９のスリット３７を拡開して、該スリット３７内に全ての手指を通して、手首４１に輪体３９を掛けるとともに、第２鞘部２２に親指２ａを、第１鞘部２１に人差し指２ｂを挿入する。そして、かかる掛け止め装着姿勢で、鞘部２１・２２を使って歯や歯肉などの対象部位を摺擦して清掃を行う。このとき、口腔清掃具１は、スリット３７を介して輪体３９に掛けられた手首４１で確実に掛止されるため、使用時に鞘部２１・２２が人差し指２ｂや親指２ａから抜け落ちることがない。何よりも清掃操作時における指姿勢に関係なく、抜け落ち防止が図られるので、手指２を自由に動かしての清掃操作が可能で、実用利便性に優れている。
【００２１】
中指２ｃを掛けるためのスリット３６を有する掛止片３５が、第１鞘部２１の側面の前後中途部から張り出し形成されていると、第１鞘部２１がずれ動くのを防ぐことができるので、操作性の向上を図ることができる。
【００２２】
主生地２５および従生地２６の内面に防水性フィルム加工が施されていると、使用中に鞘部２１・２２内に挿入された手指（人差し指２ｂ等）が濡れるのを防ぐことができる。不織布７のみで生地２５・２６を構成する形態に比べて、裏打ちされたフィルム９で生地２５・２６の補強を図ることができるので、使用中に第１および第２鞘部２１・２２が破れるような不具合がない。
【００２３】
主生地５の外側表面を凹凸状としてあると、これら凹部と凸部との段差を利用しての歯垢のこそぎ落としが可能となり、清掃効率が向上する。歯肉に対して適度の刺激を与えることもできる。尤も、係る凹凸は、主生地２５の第１および第２鞘部２１・２２の外表面、すなわち清掃操作に供される部位に設けてあれば足りる。特に、凹部を開口状としてあると、その開口周縁を切断刃のように作用させて、歯垢等をよくこそぎ落とすことができる。つまり、口腔清掃具１を歯の表面に当てたとき、凹部は、その開口方向が歯表面に対して略垂直となるような姿勢形態をとるため、当該姿勢形態で口腔清浄具１を歯の表面を擦るように動かすことで、凹部の開口周縁で歯垢を引っ掛けて、これ（歯垢）を引き剥がすように除去できる。
【発明を実施するための最良の形態】
【００２４】
（第１実施形態）
図１ないし図４に、本発明の口腔清掃具の第１実施形態を示す。この口腔清掃具１は、手指２に装着されて、歯垢の除去に供される鞘部３を供える指サックタイプの清掃具であって、本発明の請求項１および請求項２に対応している。なお図１には、人差し指２ｂに鞘部３を装着した使用形態を示す。
【００２５】
図２および図３に示すように、口腔清掃具１は、前後に長い楕円形の主生地５と、該主生地５の前端部の外形形状と一致する半楕円形の従生地６とで構成される。図４に示すように、これら両生地５・６は、コットン製の不織布７をベースとして、その一表面にＬＬＤＰＥ（中密度ポリエチレン）製の防水性フィルム９が貼付された二層構造のシート体である。そして、防水性フィルム９・９どうしが向かい合うように従生地６を主生地５の前端部に重ね合わせたうえで、従生地６の後端部を除く両生地５・６の外縁を、Ｕ字状に結着することにより、一本の手指（人差し指２ｂ等）の挿入を許す後端開口１０を有する袋状の鞘部３を形成している。ここでは、ヒートシール加工により、両生地５・６を貼り合わせている。
【００２６】
図２および図３において、符号１１は熱溶着部を示しており、ここでは、従生地６の外縁のＵ字の足の後端部を残してヒートシール加工を施して、後端開口１０に臨む両生地５・６の左右両縁にスリット１２・１２を形成している。このように後端開口１０の左右両縁にスリット１２・１２を形成してあると、スリット１２を設けない形態に比べて後端開口１０を大きく開くことができるので、手指（例えば人差し指２ｂ）に対する鞘部３の装着操作、換言すれば鞘部３に対する手指（人差し指２ｂ）の挿入操作をスムーズに行うことができる。
【００２７】
両生地５・６の不織布７は、コットン繊維をウォータージェット方式により、厚み寸法の大きな凸部と、これよりも厚み寸法の小さな凹部とがマトリクス状に並ぶように絡み合わせてなるものである。
【００２８】
図２および図３に示すごとく、鞘部３よりも後方寄りに位置する主生地５の左右方向の中央部位には、前後方向に長く切り込みを入れて、前後に長いスリット１５を設けてある。つまり、主生地５の前後中央部から後端部は、前後方向に長いスリット１５を有する輪体１７となっている。
【００２９】
以上のような口腔清掃具１は、まず、鞘部３内に、後端開口１０の側から人差し指２ｂを挿入したうえで、人差し指２ｂ以外の少なくとも親指２ａを含む他の指をスリット１５の周縁に掛けて、これらの指でスリット１５を展張状に拡開変形する。図１では、親指２ａと小指２ｅとをスリット１５の周縁に掛けて、これらの二本の指２ａ・２ｅでスリット１５をピンと張るように拡開操作している。かかる拡開操作により、鞘部３に掌側（後方側）に向かうような作用力（Ｆ：図１に白抜き矢印で示す）を与えることができるので、人差し指２ｂからの鞘部３の抜け落ちや、位置ずれなどをよく防止できる。何よりも、かかる作用力Ｆにより、人差し指２ｂの先端腹部に鞘部３を強く密着させることができるので、大きな力を鞘部３に与えた場合でも、当該鞘部３に皺ができることがなく、したがって口腔清掃具１の実用利便性の格段の向上を図ることができる。
【００３０】
加えて、主生地５に設けられた前後に長い一個のスリット１５を複数本の手指（親指２ａ〜２ｅ）で拡開操作することで、鞘部３に掌側に向かうような作用力Ｆを与える仕様であるから、手や指の大きさに関係なく、図１に示すような装着姿勢を容易にとることができる。これにて、特許文献３のように、微小な掛止孔を備える形態では避けることができなかった、手や指の大きさに合わせて、孔の開設位置や開口寸法の異なる多種の製品を用意することに起因する製造コストの上昇問題を解消して、口腔清掃具１の低コスト化に貢献できる。
【００３１】
二枚の生地５・６を貼り合わせてなるものであるから、安価に量産するに適している。また、切り込みによりスリット１５を形成してあるので、例えば主生地５の中央部に楕円形の打ち抜き部分を設けるような形態に比べて、加工が容易で製造コストを削減できる。打ち抜き部分にかかる廃棄物を除去するための製造工程が不要であるため、その点でも製造コストを削減化できる。
【００３２】
不織布７の内面に防水性のフィルム９が貼り付けられていると、使用中に鞘部３に挿入された手指（人差し指２ｂ等）が濡れるのを防ぐことができる。また、フィルム９の原形回復力に由来して、拡開操作された輪体１７に弾性応力を与えることができるので、僅かな拡開操作で鞘部３に掌側に向かう大きな作用力Ｆを与えることができる。不織布７のみで生地５・６を構成する形態に比べて、裏打ちされたフィルム９で生地５・６の補強を図ることができるので、使用中に鞘部３が破れたり、拡開操作時に輪体１７が破れたりするような不具合が少ない。
【００３３】
両生地５・６の外表面に位置して清掃操作に供される不織布７を、厚み寸法の大きな凸部と、これよりも厚み寸法の小さな凹部とがマトリクス状に並ぶように絡み合わせてなるものとしてあると、これら凹部と凸部との段差を利用しての歯垢のこそぎ落としが可能となるので、清掃効率が向上する。歯肉に対して適度の刺激を与えることもできる。尤も、これら凹凸部は、主生地５の鞘部３の外表面に設けてあれば足りる。特に、凹部を開口状としてあると、その開口周縁を切断刃のように作用させて、歯垢等をよくこそぎ落とすことができる。つまり、口腔清掃具１を歯の表面に当てたとき、凹部は、その開口方向が歯表面に対して略垂直となるような姿勢形態をとるため、当該姿勢形態で口腔清浄具１を歯の表面を擦るように動かすことで、凹部の開口周縁で歯垢を引っ掛けて、これ（歯垢）を引き剥がすように除去できる。
【００３４】
上記実施形態において、スリット１５は切り込みに換えて、前後に長い開口としてもよい。尤も、切り込みによりスリット１５を形成したほうが、コスト的に有利であることは、先に述べたとおりである。
【００３５】
（第２実施形態）
図５ないし図７に、本発明の口腔清掃具の第２実施形態を示す。この口腔清掃具１は、人差し指２ｂに装着される第１鞘部２１と、親指２ａに装着される第２鞘部２２とを備える二股の手袋タイプの清掃具であって、本発明の請求項３および請求項４に対応している。
【００３６】
図６および図７に示すように、口腔清掃具１は、大型の主生地２５と小型の従生地２６の大小二枚の不織布製のシートを貼り合わせてなる。図８に示すように、これら生地２５・２６は、コットン製の不織布７をベースとして、その一表面にＬＬＤＰＥ（中密度ポリエチレン）製の防水性フィルム９が貼付された二層構造のシート体である。両生地２５・２６の不織布７は、コットン繊維をウォータージェット方式により、厚み寸法の大きな凸部と、これよりも厚み寸法の小さな凹部とがマトリクス状に並ぶように絡み合わせてなるものである。
【００３７】
大型の主生地２５は、第１鞘部２１を構成して上下方向に長い第１装着片２８と、第２装着片２８の後端部に連続する上下に長い掛止片２９と、第１装着片２８の掛止片２９側の基端から斜め左前方に張り出し形成されて、第２鞘部２２を構成する第２装着片３０とを含む。小型の従生地２６は、主生地２５の第１および第２装着片２８・３０の外形形状と一致するような二股状に形成されている。そして、従生地２６を主生地２５に重ね合わせたうえで、従生地２６の後端部を除く外縁を、主生地２５の外縁に結着することにより、人差し指２ｂおよび親指２ａの挿入を許す後端開口３１を有する二股の手袋状の第１鞘部２１および第２鞘部２２を形成している。ここでは、ヒートシール加工により、両生地２５・２６を貼り合わせている。
【００３８】
図６および図７において、符号３２は熱溶着部を示しており、ここでは、従生地２６の外縁の後端部を残してヒートシール加工を施して、後端開口３１に臨む両生地２５・２６の左右両縁にスリット３３を形成している。このように後端開口３１の左右両縁にスリット３３・３３を形成してあると、スリット３３を設けない形態に比べて後端開口３１を大きく開くことができるので、人差し指２ｂおよび親指２ａに対する鞘部２１・２２の装着操作をスムーズに行うことができる。
【００３９】
図６および図７において、符号３５は中指２ｃを掛けるため掛止片を示す。この掛止片３５は、主生地２５および従生地２６の第１鞘部２１の右側面の前後中途部から張り出し形成されており、その面中央には、前後に走るように切り込み３６が設けられている。
【００４０】
主生地２５の掛止片２９の左右中央には、前後方向に長く切り込みを入れて、スリット３７が形成されている。つまり、掛止片２９は、前後方向に長いスリット３７を有する輪体３９となっている。掛止片２９の好適な前後の長さ寸法は、１２〜１６cmであり、スリット３７の上下の切り込み寸法は、１３〜１５cmであり、要はスリット３７に手首全体が通る大きさであればよい。
【００４１】
この口腔清掃具１は、まず、掛止片２９のスリット３７を拡開して、該スリット３７内に全ての手指を通して、手首４１に輪体３９を掛ける。次いで、後端開口３１から第２鞘部２２に親指２ａを、第１鞘部２１に人差し指２ｂを挿入する。最後に掛止片３６のスリット３５に中指を通す。以上により、図５に示すような掛け止め装着姿勢をとることができる。
【００４２】
本実施形態に係る口腔清掃具１によれば、掛止片２９の輪体３９を手首４１に掛けることで、その装着姿勢を保持する形態であるから、親指２ａや人差し指２ｂからの鞘部２１・２２の抜け落ちをよく防止できる。何よりも清掃操作時における指姿勢に関係なく、抜け落ち防止効果が図られるので、手指２を自由に動かしての清掃操作が可能となり、実用利便性に優れている。
【００４３】
両生地２５・２６の外表面に位置して、清掃操作に供される不織布７を、厚み寸法の大きな凸部と、これよりも厚み寸法の小さな凹部とがマトリクス状に並ぶように絡み合わせてなるものとしてあると、これら凹部と凸部との段差を利用しての歯垢のこそぎ落としが可能となり、清掃効率の向上を図ることができる。歯肉に対して適度の刺激を与えることもできる。尤も、係る凹凸部は、主生地２５の鞘部２１・２２の外表面に設けてあれば足りる。特に、凹部を開口状としてあると、その開口周縁を切断刃のように作用させて、歯垢等をよくこそぎ落とすことができる。つまり、口腔清掃具１を歯の表面に当てたとき、凹部は、その開口方向が歯表面に対して略垂直となるような姿勢形態をとるため、当該姿勢形態で口腔清浄具１を歯の表面を擦るように動かすことで、凹部の開口周縁で歯垢を引っ掛けて、これ（歯垢）を引き剥がすように除去できる。
【００４４】
掛止片３５は廃することができる。スリット３７を切り込みに換えて、前後に長い開口とすることができる。
【図面の簡単な説明】
【００４５】
【図１】本発明の第１実施形態に係る口腔清掃具の装着状態を示す斜視図
【図２】口腔清掃具の平面図
【図３】口腔清掃具の斜視図
【図４】図３のＡ−Ａ線断面図
【図５】本発明の第２実施形態に係る口腔清掃具の装着状態を示す斜視図
【図６】口腔清掃具の平面図
【図７】口腔清掃具の斜視図
【図８】図７のＢ−Ｂ線断面図
【符号の説明】
【００４６】
１  口腔清掃具
２  手指
２ａ  親指
２ｂ  人差し指
３  鞘部
５  主生地
６  従生地
７  不織布
９  防水性のフィルム
１０  後端開口
１５  スリット
２１  第１鞘部
２２  第２鞘部
２５  主生地
２６  従生地
２８  第１装着片
２９  掛止片
３０  第２装着片
３１  後端開口
３５  掛止片
３７  スリット
【図１】
2005334065.tif 000003
【図２】
2005334065.tif 000004
【図３】
2005334065.tif 000005
【図４】
2005334065.tif 000006
【図５】
2005334065.tif 000007
【図６】
2005334065.tif 000008
【図７】
2005334065.tif 000009
【図８】
2005334065.tif 000010